(57)【要約】      （修正有）【課題】原稿の搬送停止／搬送再開を頻繁に繰り返すことを防ぎ、騒音の発生や部品の消耗を減少できる画像読取装置を提供する。【解決手段】原稿の画像を読み取る画像読取装置において、原稿情報に基づいて印字手段の印字内容を変更する印字内容変更手段と、原稿情報に基づく印字内容の変更がされるまで原稿を搬送路の途中に停止させる原稿待機手段と、原稿待機手段が搬送路の途中に原稿を停止させる頻度をより少なくするように、分離給送手段の給紙間隔を変更する制御手段を有する。【選択図】図６
2010052882.tif 000002
【特許請求の範囲】
【請求項１】
原稿を1枚ずつ分離して搬送路へ給送する分離給送手段と、
原稿の画像を読み取る画像読取手段と、
原稿情報を読み取る原稿情報読取手段と、
原稿面へ印字を行う印字手段と、を有し、原稿の画像を読み取る画像読取装置において、
前記原稿情報に基づいて前記印字手段の印字内容を変更する印字内容変更手段と、
前記原稿情報に基づく前記印字内容の変更がされるまで原稿を搬送路の途中に停止させる原稿待機手段と、
前記原稿待機手段が搬送路の途中に原稿を停止させる頻度をより少なくするように、前記分離給送手段の給紙間隔を変更する制御手段を有すること
を特徴とする画像読取装置。
【請求項２】
原稿を1枚ずつ分離して搬送路へ給送する分離給送手段と、
原稿の画像を読み取る画像読取手段と、
原稿情報を読み取る原稿情報読取手段と、
複数の排紙トレイと、
前記原稿情報に基づいて前記複数の排紙トレイのいずれかを排紙先とするように切り換える排紙振分手段と、
を有し、原稿の画像を読み取る画像読取装置において、
前記原稿情報に基づく前記排紙先の切り換えがされるまで原稿を搬送路の途中に停止させる原稿待機手段と、
前記原稿待機手段が搬送路の途中に原稿を停止させる頻度をより少なくするように、前記分離給送手段の給紙間隔を変更する制御手段を有すること
を特徴とする画像読取装置。
【請求項３】
複数の排紙トレイと、
前記原稿情報に基づいて前記複数の排紙トレイのいずれかを排紙先とするように切り換える排紙振分手段とを更に有し、
前記原稿待機手段は、前記原稿情報に基づく前記印字内容の変更がされ、かつ、前記原稿情報に基づく前記排紙先の切り換えがされるまで原稿を搬送路中に停止させること
を特徴とする請求項１に記載の画像読取装置。
【請求項４】
原稿を1枚ずつ分離して搬送路へ給送する分離給送手段と、
原稿の画像を読み取る画像読取手段と、
原稿情報を読み取る原稿情報読取手段と、
前記原稿情報を含む情報を外部装置との間で送受信する通信手段と、を有し、原稿の画像を読み取る画像読取装置において、
前記原稿情報が読み取られた当該原稿に対する、前記原稿情報に基づく処置に関する情報を前記外部装置から受信するまで、原稿を搬送路の途中に停止させる原稿待機手段と、
前記外部装置の応答速度に応じて、原稿の給紙間隔を変更する制御手段を有することを特徴とする画像読取装置。
【請求項５】
前記原稿待機手段が原稿を搬送路中に停止させていた待機時間に基づいて前記給紙間隔を決定することを特徴とする請求項１〜４のいずれか１項に記載の画像読取装置。
【請求項６】
前記原稿待機手段が原稿を搬送路中に停止させていた待機時間に基づいて原稿を搬送する搬送速度を決定することを特徴とする請求項２又は３に記載の画像読取装置。
【請求項７】
前記原稿情報読取手段が原稿情報を読み取った情報読取時刻から前記印字内容変更手段が印字内容を変更した印字内容変更時刻までの時間と、前記情報読取時刻から排紙振分手段が排紙先を切り換えた排紙先変更時刻までの時間とを取得する時間取得手段を有し、
前記給紙間隔制御手段は、前記情報読取時刻から前記印字内容変更時刻までの時間と、前記情報読取時刻から前記排紙先変更時刻までの時間のうち、いずれか長い方に基づいて前記待機時間を算出し、前記給紙間隔を決定することを特徴とする請求項３に記載の画像読取装置。
【請求項８】
前記原稿情報読取手段は磁気情報を読取ることを特徴とする請求項１〜７のいずれか１項に記載の画像読取装置。
【請求項９】
原稿を1枚ずつ分離して搬送路へ給送する分離給送手段と、
原稿の画像を読み取る画像読取手段と、
原稿情報を読み取る原稿情報読取手段と、
原稿面へ印字を行う印字手段と、を有し、
原稿の画像を読み取る画像読取装置の制御方法であって、
前記原稿情報に基づいて前記印字手段の印字内容を変更する印字内容変更ステップと、
前記原稿情報に基づく前記印字内容の変更がされるまで原稿を搬送路の途中に停止させる原稿待機ステップと、
前記原稿待機手段が搬送路の途中に原稿を停止させる頻度をより少なくするように、前記分離給送手段の給紙間隔を変更する制御ステップを有すること
を特徴とする制御方法。
【請求項１０】
原稿を1枚ずつ分離して搬送路へ給送する分離給送手段と、
原稿の画像を読み取る画像読取手段と、
原稿情報を読み取る原稿情報読取手段と、
複数の排紙トレイと、
前記原稿情報に基づいて前記複数の排紙トレイのいずれかを排紙先とするように切り換える排紙振分手段と、を有し、
原稿の画像を読み取る画像読取装置の制御方法であって、
前記原稿情報に基づく前記排紙先の切り換えがされるまで原稿を搬送路の途中に停止させる原稿待機ステップと、
前記原稿待機ステップで搬送路の途中に原稿が停止する頻度をより少なくするように、前記分離給送手段の給紙間隔を変更する制御ステップを有すること
を特徴とする制御方法。
【請求項１１】
原稿を1枚ずつ分離して搬送路へ給送する分離給送手段と、
原稿の画像を読み取る画像読取手段と、
原稿情報を読み取る原稿情報読取手段と、
原稿面へ印字を行う印字手段と、を有し、原稿の画像を読み取る画像読取装置の制御方法をコンピュータに実行させるプログラムであって、
前記原稿情報に基づいて前記印字手段の印字内容を変更する印字内容変更ステップと、
前記原稿情報に基づく前記印字内容の変更がされるまで原稿を搬送路の途中に停止させる原稿待機ステップと、
前記原稿待機手段が搬送路の途中に原稿を停止させる頻度をより少なくするように、前記分離給送手段の給紙間隔を変更する制御ステップとをコンピュータに実行させることを特徴とするプログラム。
【請求項１２】
原稿を1枚ずつ分離して搬送路へ給送する分離給送手段と、
原稿の画像を読み取る画像読取手段と、
原稿情報を読み取る原稿情報読取手段と、
複数の排紙トレイと、
前記原稿情報に基づいて前記複数の排紙トレイのいずれかを排紙先とするように切り換える排紙振分手段と、を有し、原稿の画像を読み取る画像読取装置の制御方法をコンピュータに実行させるプログラムであって、
前記原稿情報に基づく前記排紙先の切り換えがされるまで原稿を搬送路の途中に停止させる原稿待機ステップと、
前記原稿待機手段が搬送路の途中に原稿を停止させる頻度をより少なくするように、前記分離給送手段の給紙間隔を変更する制御ステップとをコンピュータに実行させること
を特徴とするプログラム。
【発明の詳細な説明】
【技術分野】
【０００１】
本発明は、印字機能と複数の排紙トレイへ原稿をソートする機能の少なくとも一方を有するチェックスキャナに関する。
【背景技術】
【０００２】
小切手等の原稿を読み取るチェックスキャナは、磁気ヘッドによって原稿からＭＩＣＲ文字列を読み取る機能を持つことが多い（例えば特許文献１参照）。ホストコンピュータのアプリケーションは読み取ったＭＩＣＲ文字列に基づいて、原稿を排紙すべき排紙トレイと、原稿に印字する印字内容とを決定し、チェックスキャナへフィードバックする。アプリケーションがこれらを決定し、フィードバックするのに要した時間が長い（ホストコンピュータの応答速度が遅い）場合、すなわち、磁気ヘッド２０２から停止位置１に原稿が移動する間にアプリケーションが応答できない場合、全ての原稿に対して、それぞれ停止位置１に到達したとき、印字内容または、どちらの排紙トレイに排出するかが決定されていないため、搬送中の原稿を停止せざるを得ない。
【特許文献１】特開２００５−５７８１３号公報
【発明の開示】
【発明が解決しようとする課題】
【０００３】
上記のようにホストコンピュータの応答速度が遅い場合は、分離給送部が給紙間隔を長くして、または搬送部が搬送速度を遅くして、搬送路の途中での停止時間を短くしてもトータルのスキャン速度には影響が無い。それにもかかわらず、通常は一定の給紙間隔で、または一定の搬送速度で原稿を搬送するため、原稿の搬送停止／搬送再開を頻繁に繰り返してしまう。原稿の搬送停止／搬送再開は、騒音の要因となる。また頻繁に搬送の停止／再開を繰り返すことは、搬送機構を構成する部品の消耗を早めるという問題点がある。
【０００４】
本発明の目的は、原稿の搬送停止／搬送再開を頻繁に繰り返すことを防ぎ、騒音の発生や部品の消耗を減少できる画像読取装置を提供することにある。
【課題を解決するための手段】
【０００５】
上記目的を達成するために、本発明の画像読取装置は、原稿を1枚ずつ分離して搬送路へ給送する分離給送手段と、原稿の画像を読み取る画像読取手段と、原稿情報を読み取る原稿情報読取手段と、原稿面へ印字を行う印字手段と、前記原稿情報に基づいて前記印字手段の印字内容を変更する印字内容変更手段と、前記原稿情報に基づく前記印字内容の変更がされるまで原稿を搬送路の途中に停止させる原稿待機手段と、を有し、原稿の画像を読み取る画像読取装置において、前記原稿待機手段が搬送路の途中に原稿を停止させる頻度をより少なくするように、前記分離給送手段の給紙間隔を変更する制御手段を有すること
を特徴とする。
【０００６】
また、原稿を1枚ずつ分離して搬送路へ給送する分離給送手段と、原稿の画像を読み取る画像読取手段と、原稿情報を読み取る原稿情報読取手段と、複数の排紙トレイと、前記原稿情報に基づいて前記複数の排紙トレイのいずれかを排紙先とするように切り換える排紙振分手段と、前記原稿情報に基づく前記排紙先の切り換えがされるまで原稿を搬送路の途中に停止させる原稿待機手段と、を有し、原稿の画像を読み取る画像読取装置において、前記原稿待機手段が搬送路の途中に原稿を停止させる頻度をより少なくするように、前記分離給送手段の給紙間隔を変更する制御手段を有することを特徴とする。
【０００７】
また、原稿を1枚ずつ分離して搬送路へ給送する分離給送手段と、原稿の画像を読み取る画像読取手段と、原稿情報を読み取る原稿情報読取手段と、前記原稿情報を含む情報を外部装置との間で送受信する通信手段と、を有し、原稿の画像を読み取る画像読取装置において、前記原稿情報が読み取られた当該原稿に対する、前記原稿情報に基づく処置に関する情報を前記外部装置から受信するまで、原稿を搬送路の途中に停止させる原稿待機手段と、前記外部装置の応答速度に応じて、原稿の給紙間隔を変更する制御手段を有することを特徴とする。
【０００８】
上記のような原稿の搬送制御を行うことによって、画像読取装置の搬送動作の停止／再開の回数を低減でき、騒音の低減の効果があるばかりでなく、部品消耗防止によるメンテナンス回数の低減にも貢献する。
【発明の効果】
【０００９】
上記のような原稿の搬送制御を行うことによって、画像読取装置の搬送動作の停止／再開の回数を低減でき、騒音の低減の効果があるばかりでなく、部品消耗防止の効果もありメンテナンス回数が低減できる。
【発明を実施するための最良の形態】
【００１０】
以下、本発明の実施の形態を図面を参照しながら説明する。
【実施例１】
【００１１】
図１は、本実施例に係る画像処理システムの構成を示した図である。本実施例に係る画像処理システムは、図１に示されるように例えばチェックスキャナ９００と、チェックスキャナ９００に対して読み取り動作の制御を行うアプリケーションとスキャナデバイスドライバを動作可能なホストコンピュータ８００で構成される。
【００１２】
チェックスキャナ９００は、図２に示すように、画像読み取りのためのイメージセンサ２０１と、図８を用いて動作を後述する、原稿の所定位置に磁気インクで印字された文字（ＭＩＣＲ文字等）を読み取るための磁気ヘッド２０２と、複数の原稿を一枚ずつ分離して搬送路へ給送する分離給送部２０３と、排紙された原稿を積載する２つの排紙トレイ２０４，２０５と、排紙トレイを選択するフラッパ２０７が設けられている。分離給送部２０３に積載された原稿２０６は、磁気ヘッド２０２，原稿に文字等の情報を印字する印字部２０８，イメージセンサ２０１を経て、排紙トレイ２０４もしくは２０５のいずれかへ排紙される。
【００１３】
図３は、画像読取装置の各部の制御を行うハードウエア回路のブロック図である。本画像読取装置はホストコンピュータ８００と汎用の接続ケーブルで接続され、インターフェース（Ｉ／Ｆ）３０１を介して周知のＵＳＢやＳＣＳＩ等の通信プロトコルにてホストコンピュータ８００とコマンドとデータを送受信することで制御される。ＣＰＵ３０２は不図示のプログラムメモリから制御コードを読み出しながら、本画像読取装置の各部の動作の制御を司る。分離給送部３０５は、ＣＰＵ３０２の指示に応じて給紙台２０６から1枚ずつ原稿を分離給送して、給送された原稿はモータ駆動部３０６に含まれる不図示のモータによって搬送される。モータ駆動部３０６は、不図示の駆動系１と不図示の駆動系２の２つの駆動系を備えているので、搬送された原稿は、後述の停止位置１と停止位置２の２箇所の停止位置で停止することができる構成となっている。
【００１４】
画像読取部３０７は、ＣＰＵ３０２の制御によって駆動され、搬送と同期して原稿面に形成されている画像をイメージセンサ２０１によって画像データとして読み取る。読み取られた画像データはメモリ３０３に蓄積され、ホストコンピュータ８００の要求に応じて、Ｉ／Ｆ３０１を介して出力する。ＣＰＵ３０２は、原稿面上に磁気インクにて印字された磁気情報を磁気ヘッド３０４からの出力信号によって搬送と同期して取得してメモリ３０３に蓄積し、ホストコンピュータ８００の要求に応じてＩ／Ｆ３０１を介して出力する。
【００１５】
また、図４は搬送路を直線的に表現した図であり、各デバイスの位置関係と、原稿を停止可能な停止位置とを示している。また、搬送路上に搬送されている状態の２枚の原稿Ａ，Ｂを図示している。本画像読取装置の搬送系は、２つの駆動系すなわち駆動系１と駆動系２で構成されており、図４に示すように分離給送部から給送された原稿は、まず駆動系１の動力によって磁気ヘッド２０２を経て停止位置１まで搬送される。次に駆動系２に渡されて停止位置２，印字部２０８，イメージセンサ２０１，フラッパ２０７を経て排紙トレイ２０４，２０５のいずれかに排出される構成となっている。
【００１６】
停止位置１とは、駆動系１が駆動系２へ原稿を渡すのを保留する場合の原稿停止位置である。先行の原稿（駆動系２上を搬送されている原稿）の排出されるべき排紙トレイが決定されていないときなど、前原稿の停止位置２における停止の可能性がある場合等に、ＣＰＵ３０２（原稿待機手段）の制御によって停止位置１で後続の原稿が停止される。
【００１７】
停止位置２とは、駆動系２上の原稿の排紙トレイ選択が決定される前に停止位置２まで搬送された原稿を停止させる位置である。停止位置１、停止位置２で停止した原稿は、それぞれの停止要因が解除され次第、再搬送される。
【００１８】
次に、本実施例に係るスキャン動作の概要を図７のフローチャートを用いて説明する。
【００１９】
まず操作者はホストコンピュータ８００上で動作するアプリケーションにより、スキャン動作を開始させる操作を行う。ホストコンピュータ８００が発行したスキャンコマンドを受信すると（Ｓｔｅｐ７０１でＹＥＳ）、チェックスキャナ９００は画像読み取り動作へと移行し、図示しない搬送モータを駆動する（Ｓｔｅｐ７０２）。
【００２０】
また、分離給送部２０３を制御して、積載された原稿２０６を給送する（Ｓｔｅｐ７０３）。搬送路へ入り、搬送モータに連結された図示しない搬送ローラによって搬送されている原稿から、磁気ヘッド２０２によってＭＩＣＲ文字等の磁気による文字列情報を読み取って文字列データを取得する（Ｓｔｅｐ７０４）。
【００２１】
読み出したＭＩＣＲ等の文字列データはアプリケーションが動作しているホストコンピュータに送出される（Ｓｔｅｐ７０５）。受信した文字列データからアプリケーションが決定した排紙トレイの選択情報と、同文字列データからアプリケーションが決定した原稿に印字するべき印字内容情報を受信する（Ｓｔｅｐ７０６）。
【００２２】
アプリケーションでは排紙トレイの決定に際しては、例えば銀行の処理小切手振分業務においては、ＭＩＣＲ等の文字列データから銀行コードを取得して、自行の小切手である場合には排紙トレイ２０５へ排出、他行の小切手である場合には排紙トレイ２０６へ排出、というような選択を行うことが好適である。
【００２３】
また、印字する内容の決定に際しては、例えばＭＩＣＲ文字列長が０（ゼロ）の場合などにおいては、手形・小切手ではない原稿を搬送したと考えられるため印字を行わないことをアプリケーションが決定する、など業務に応じた運用を行う。このようにして、アプリケーションは排紙トレイと印字内容を決定した後、決定内容をチェックスキャナ８００へ送信するので、上述のＳｔｅｐ７０６ではこれらが受信される。
【００２４】
チェックスキャナ８００は、受信した文字列データに応じて、排紙トレイを選択し（Ｓｔｅｐ７０７）、印字部２０８で印字するとともに，イメージセンサ２０１で画像読取を行う（Ｓｔｅｐ７０８）。なお、読み取った画像データは、ホストコンピュータ８００の読み出し命令によって送信される。Ｓｔｅｐ７０９では、読み取られた原稿を選択された排紙トレイに排紙する。
【００２５】
次に、複数枚の原稿を読み取る動作の中での、１枚あたりの原稿読取制御を行うための搬送を司る搬送タスクについて、図６のフローチャートを用いて説明する。
【００２６】
まず、Ｓｔｅｐ６００では１枚目の原稿かを判断し、１枚目であれば給紙間隔の時間を０とする（Ｓｔｅｐ６００ａ）。Ｓｔｅｐ６０１では給紙するタイミングとなったかどうかを判定する。給紙するタイミングかどうかの条件は、
条件１．「先行原稿との紙間が、最短給紙間隔以上、開いた。」
条件２．「先行原稿が停止位置１を通過することが決まっている。」
条件３．「先行原稿の給紙から給紙間隔の時間が経過した。」
という３つの条件が全て成り立つ場合のことである。なお、給紙間隔は初期値の時間から変更され最適な給紙間隔となる。最適な給紙間隔の定義と算出方法は後述するが、上述のようにＳｔｅｐ６００ａでスキャン動作に先立って給紙間隔＝０と初期化されている。
【００２７】
続いて（Ｓｔｅｐ６０２）において、分離給送部に給紙を要求し、原稿が図示しない原稿検知センサまで搬送されてくるのを待機する（Ｓｔｅｐ６０３）。原稿検知センサによって注目原稿が停止位置１に到達したことを検知したら、先行原稿（注目の原稿よりも１枚先に搬送された原稿）について印刷内容の決定がされたかを確認する（Ｓｔｅｐ６０４）。先行原稿の処置内容が決定済となっている場合は後述する待機時間を給紙間隔に加算し（Ｓｔｅｐ６０４ａ）、先行原稿は停止位置２で停止していないので、注目原稿を駆動系２に引き渡すことにより停止させずに搬送を継続する（Ｓｔｅｐ６０６）。先行原稿の処置内容が未決定の場合は、駆動系１による注目原稿の搬送を停止し停止位置１で待機させる（Ｓｔｅｐ６０５）。注目原稿の処置内容が決定されるまで待機し、処置内容が決定されたら停止位置１で待機する間に経過した待機時間を上述のように給紙間隔に加算し後述の最適給紙間隔となるように調整し、駆動系１により注目原稿の搬送を再開して、駆動系２に引き渡す（Ｓｔｅｐ６０６）。
【００２８】
次に（Ｓｔｅｐ６０７）において、図示しない他の原稿検知センサにより注目原稿が停止位置２に到達したことを検知したら、注目原稿の処置内容が決定されているかどうかを確認する（Ｓｔｅｐ６０８）。決定済である場合は駆動系２による搬送を停止させることなく継続する（Ｓｔｅｐ６１０）。処置内容が未決定の場合は、駆動系２による搬送を停止し（Ｓｔｅｐ６０９）、処置内容が決定されるまで待機し、処置内容が決定されたら、排紙トレイを切り換えるフラッパ２０７を制御して排紙トレイを選択し、駆動系２による搬送を再開する（Ｓｔｅｐ６１１）。
【００２９】
以上のように、搬送タスクについての説明の中で、分離給送部に原稿が無かった場合や，ジャム発生や重送を検出した場合などの例外処理の説明は割愛したが、これら例外処理は一般的なチェックスキャナとして行っていることは言うまでも無い。また、複数枚の原稿を読み取る動作の中での、２枚目以降の読取り時は、上述のように給紙間隔が０ではなく先行原稿の待機時間を加算して調整されており、停止位置１での搬送停止が起きにくいようになっている。
【００３０】
次に最適給紙間隔の算出方法について説明する。
【００３１】
図９，１０は先行する原稿Ａと後続の原稿Ｂが時間ｔの経過とともに分離給送部の給送ローラから距離ｘの位置に移動する様子を表した図である。図９は図５における状態１のホストコンピュータの処理速度が速い場合における原稿の移動の様子を表している。すなわち、図７のフローチャートにおけるＭＩＣＲの文字列データがホストコンピュータに送信された（ＭＩＣＲ読取完了：Ｓｔｅｐ７０５）時点から、ホストコンピュータによるＭＩＣＲの文字列データの解析で、その文字列データに基づいて決定された排紙トレイの選択の情報と原稿に印字する内容を受信する（Ｓｔｅｐ７０６）までが十分に短時間ですむ（応答速度が速い）ため、原稿Ａの処置が早く決まり原稿Ｂは停止位置１で停止せず進むことができる。
【００３２】
一方、図１０はホストコンピュータの処理速度が遅い場合における原稿の移動の様子を表しており、図９と比較して応答速度が遅く、また原稿Ａへの応答（ＭＩＣＲの文字列データ解析と処置内容の決定）の処理中は原稿Ｂへの応答を行えない。そのため、原稿Ｂへの応答はさらに遅れることとなる。よって、原稿Ｂが停止位置１に到達したとき、未だホストコンピュータから印字すべき内容を受け取っていないため、停止位置１で待機することを示している。すなわち、図１０は図５における状態２を表した図であり、図１０で示したとおり、待機時間は、式１で表せる。
（待機時間）＝（Ｓｔｅｐ７０６における処置内容受信時刻）−（停止位置１到達時刻）                                                          ．．．．．．（１）
【００３３】
最適給紙時間とは、フローチャート図６のＳｔｅｐ６０３の停止位置１への到達直前に、フローチャート図７のＳｔｅｐ７０６の処置内容を受信できるようになる時間である。つまり、状態２が表す搬送停止が起こった場合は、現在の給紙時間（原稿Ａを給紙した時点から原稿Ｂを給紙する時点までの時間間隔）を、Ｓｔｅｐ６０４ａで行ったように少なくとも待機時間分延長すれば最適給紙時間になることがわかる。ゆえに、最適給紙間隔は式２で求めることが出来る。
（最適給紙間隔）＝（現在の給紙間隔）＋（Ｓｔｅｐ７０６における処置内容の受信時刻）−（停止位置１到達時刻）＋α                        ．．．．．．（２）
【００３４】
ここでαはマージンであり、固定値とすることが好適である。
【００３５】
図１１は、図１０の状態になったことを認識し、Ｓｔｅｐ６０４ａで行ったように給紙間隔を式３によって求められた最適給紙時間に変更した場合を示しており、停止位置１で後続原稿Ｂが停止しない給紙間隔となったことを表している。
【００３６】
以上本実施例で説明したように、本発明によれば、停止位置１に停止する回数をより少なく減らしながらスキャン動作を行うため、停止時および再搬送時に発生する騒音を防ぐことができるだけでなく、搬送路を構成する部品の耐久性を伸ばすことが出来る。なお、停止位置２で停止する回数を極力減らす制御を併用することが望ましい。そのためにはたとえば搬送速度２をアプリケーションの応答速度に応じて変更するよう制御すればよい。
【００３７】
また、本実施例では、駆動系を２つとし、停止位置を２箇所としたが、より多くの駆動系と停止位置を配した構成としてもよい。
【００３８】
また、本実施例の画像読取装置は、印字内容の決定まで待機する発明と、排紙振り分け先の決定まで待機する発明の両方を実施する形態としたが、どちらか一方を実施する形態としてもよい。
【００３９】
また、本実施例では、アプリケーションの実働状態での応答速度を、画像読取装置が認識することで、給紙間隔を調整する構成としたが、ホストコンピュータの実行速度やメモリ環境，オペレーティングシステムによって算出される所定時間をホストコンピュータまたは画像読取装置で予め算出して給紙間隔としてもよい。
【００４０】
また、またＭＩＣＲ文字列の情報を画像読取装置内で解析し、印字内容及び排紙振り分け先の少なくとも一方をＭＩＣＲ文字列に基づいて決定する構成としてもよい。この場合ＭＩＣＲ文字列の文字数や印字位置の違いにより、停止位置１における待機時間が異なるので、現在の給紙間隔に停止位置１における待機時間を加算することで、最適給紙間隔が求められる。
【００４１】
また、ＭＩＣＲ文字列に基づくのではなく他の磁気情報、原稿上に描かれた画像や原稿の大きさ、厚さ、重送有無等、原稿から得られるあらゆる情報に基づいて印字内容及び排紙振り分け先の少なくとも一方を、ホストコンピュータまたは、画像読取装置内で決定する構成でもよい。
【００４２】
また、本実施例では、最適給紙間隔を減少させる工程を含む構成になっていないが、例えば所定枚数ごとに給紙間隔をリセットまたは減少させて、再度停止位置１における待機時間を計測して加算するようにしてもよい。
【００４３】
本発明は、上述した実施例の機能を実現するソフトウエアのプログラムをコンピュータ又はＣＰＵに供給し、そのコンピュータ又はＣＰＵが該供給されたプログラムを読出して実行することによっても、達成することができる。
【００４４】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００４５】
上記プログラムの形態は、オブジェクトコード、インタプリタにより実行されるプログラムコード、ＯＳ（オペレーティングシステム）に供給されるスクリプトデータ等の形態から成ってもよい。
【００４６】
また、本発明は、上述した実施の形態の機能を実現するソフトウエアのプログラムを記憶した記憶媒体をコンピュータ又はＣＰＵに供給し、そのコンピュータ又はＣＰＵが記憶媒体に記憶されたプログラムを読出して実行することによっても、達成することができる。この場合、格納媒体から読出されたプログラムコード自体が上述した各実施の形態の機能を実現すると共に、そのプログラムコードを記憶した記憶媒体は本発明を構成する。
【００４７】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ、磁気テープ、不揮発性のメモリカード等がある。
【００４８】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。また本発明のソフトウエア処理の一部又は全部をハードウエア回路による処理に置き換えてもよい。
【図面の簡単な説明】
【００４９】
【図１】チェックスキャナとホストコンピュータの接続を例示した図である。
【図２】チェックスキャナの上面図である。
【図３】ハードウエア構成を例示したブロック図である。
【図４】搬送系を直線的に表現した説明図である。
【図５】アプリケーションの応答速度に応じた２つの停止位置での動作を説明する図である。
【図６】搬送タスクを説明するためのフローチャートである。
【図７】チェックスキャナの読み取り動作を説明するフローチャートである。
【図８】ＭＩＣＲの印字位置を有する原稿を例示した図である。
【図９】状態１おける時間に対する原稿Ａ、Ｂの位置を表した図である。
【図１０】状態２において、時間の経過に対して原稿Ａ、Ｂの移動する位置を表す図である。
【図１１】状態２において、給紙間隔を変更した後の原稿Ａ、Ｂの移動する位置を表す図である。
【符号の説明】
【００５０】
８００  ホストコンピュータ
９００  チェックスキャナ
２０１  イメージセンサ
２０２  磁気ヘッド
２０３  分離給送部
２０４  排紙トレイ
２０５  排紙トレイ
２０７  フラッパ
２０８  印字部
３０１  インターフェース
３０２  ＣＰＵ
３０３  メモリ
３０４  磁気ヘッド
３０５  分離給送部
３０６  モータ駆動部
３０７  画像読取部
４０１  停止位置１
４０２  停止位置２
【図１】
2010052882.tif 000003
【図２】
2010052882.tif 000004
【図３】
2010052882.tif 000005
【図４】
2010052882.tif 000006
【図５】
2010052882.tif 000007
【図６】
2010052882.tif 000008
【図７】
2010052882.tif 000009
【図８】
2010052882.tif 000010
【図９】
2010052882.tif 000011
【図１０】
2010052882.tif 000012
【図１１】
2010052882.tif 000013